(57)【要約】      （修正有）【課題】電子チケット又は電子クーポンを配信したり、ユーザ同士をマッチングしたりする場合の取引の安全を確保する。【解決手段】取引管理システムは、イベントへの参加又はサービスの利用の申し込みに関する申込情報を取得する申込情報取得部と、決済処理又は与信枠を確保するための処理を実行する決済処理部と、申込者の通信端末に権利情報を送信する権利情報送信部と、確認情報を取得する確認情報取得部と、イベントの開催場所又はサービスの提供場所を提供する場所提供者の口座及びイベントの開催者若しくはサービスの提供者の口座の少なくとも一方に、金銭又は電子バリューを入金する入金処理部とを備える。【選択図】図１３
2018205848.tif 000002
【特許請求の範囲】
【請求項１】
イベントへの参加又はサービスの利用の申し込みに関する申込情報を取得する申込情報取得部と、
前記申込情報取得部が前記申込情報を取得したことに応じて、決済処理又は与信枠を確保するための処理を実行する決済処理部と、
前記決済処理部が前記決済処理又は前記与信枠を確保するための処理を実行したことに応じて、前記イベントへの参加又は前記サービスの利用を申し込んだ申込者の通信端末に、前記イベントに参加する権利又は前記サービスを利用する権利を有することを示す権利情報を送信する権利情報送信部と、
（ｉ）前記申込者の側の理由若しくは都合により、前記イベントが開催されなかったこと若しくは前記サービスが提供されなかったこと、又は、（ｉｉ）前記イベントの開催者若しくは前記サービスの提供者と、前記申込者との両方が、特定の時刻若しくは期間に、前記イベントの開催場所若しくは前記サービスの提供場所に存在したことを示す確認情報を取得する確認情報取得部と、
前記確認情報取得部が前記確認情報を取得したことに応じて、（ｉ）前記イベントの開催場所又は前記サービスの提供場所を提供する場所提供者の口座及び（ｉｉ）前記イベントの開催者又は前記サービスの提供者の口座の少なくとも一方に、金銭又は電子バリューを入金する入金処理部と、
を備える、情報処理装置。
【請求項２】
前記確認情報は、
（ｉ）前記申込者が、前記イベントへの参加若しくは前記サービスの利用をキャンセルしたことを示す情報、
（ｉｉ）前記イベントの開催者若しくは前記サービスの提供者、及び、前記イベントの参加者若しくは前記サービスの利用者以外の第三者が、前記申込者の側の理由若しくは都合により、前記イベントが開催されなかったこと若しくは前記サービスが提供されなかったことを確認したことを示す情報、
（ｉｉｉ）前記イベントの開催者若しくは前記サービスの提供者、及び、前記イベントの参加者若しくは前記サービスの利用者以外の第三者が、前記イベントが開催されたこと若しくは前記サービスが提供されたことを確認したことを示す情報、又は、
（ｉｖ）前記イベントの開催者若しくは前記サービスの提供者、及び、前記イベントの参加者若しくは前記サービスの利用者の両方が、前記イベントが開催されたこと若しくは前記サービスが提供されたことを確認したことを示す情報である、
請求項１に記載の情報処理装置。
【請求項３】
前記入金処理部は、前記確認情報取得部が前記確認情報を取得した後、予め定められた時刻又は期間が経過したことに応じて、（ｉ）前記イベントの開催場所又は前記サービスの提供場所を提供する場所提供者の口座及び（ｉｉ）前記イベントの開催者又は前記サービスの提供者の口座の少なくとも一方に、金銭又は電子バリューを入金する、
請求項１又は請求項２に記載の情報処理装置。
【請求項４】
イベントへの参加又はサービスの利用の申し込みに関する申込情報を取得する申込情報取得部と、
前記申込情報取得部が前記申込情報を取得したことに応じて、決済処理又は与信枠を確保するための処理を実行する決済処理部と、
前記決済処理部が前記決済処理又は前記与信枠を確保するための処理を実行したことに応じて、前記イベントへの参加又は前記サービスの利用を申し込んだ申込者の通信端末に、前記イベントに参加する権利又は前記サービスを利用する権利を有することを示す権利情報を送信する権利情報送信部と、
前記決済処理部が前記決済処理又は前記与信枠を確保するための処理を実行した後、予め定められた時刻又は期間が経過したことに応じて、（ｉ）前記イベントの開催場所又は前記サービスの提供場所を提供する場所提供者の口座及び（ｉｉ）前記イベントの開催者又は前記サービスの提供者の口座の少なくとも一方に、金銭又は電子バリューを入金する入金処理部と、
を備える、情報処理装置。
【請求項５】
（ｉ）前記権利情報と、（ｉｉ−１）前記イベントの開催者又は前記サービスの提供者、及び、（ｉｉ−２）前記イベントの開催場所又は前記サービスの提供場所の少なくとも一方を識別するための第２識別情報とを対応付けて格納する権利情報格納部をさらに備える、
請求項１から請求項４までの何れか一項に記載の情報処理装置。
【請求項６】
ユーザの通信端末から、前記権利情報の生成を要求する第１要求情報を取得する第１要求取得部と、
前記ユーザが前記権利情報を生成する権限を有するか否かを判定する権限判定部と、
前記権限判定部が、前記ユーザは前記権利情報を生成する権限を有すると判定した場合に、前記権利情報を生成する権利情報生成部と、
をさらに備える、
請求項１から請求項５までの何れか一項に記載の情報処理装置。
【請求項７】
前記イベントの開催又は前記サービスの提供を告知するための告知情報を配信する配信部をさらに備える、
請求項１から請求項６までの何れか一項に記載の情報処理装置。
【請求項８】
前記権利情報は、（ｉ）前記告知情報を識別するための第１識別情報、（ｉｉ）前記第１識別情報と対応付けられて、任意の記憶装置に格納されている情報、及び、（ｉｉｉ）前記第１識別情報又は前記告知情報の少なくとも一部を、暗号化又は符号化して得られた情報の少なくとも一つを含む、
請求項７に記載の情報処理装置。
【請求項９】
（ｉ）前記告知情報の生成又は編集を要求する第２要求情報を、前記権利情報とともに取得したことに応じて、前記告知情報の生成又は編集を許可する告知情報生成部をさらに備える、
請求項７又は請求項８に記載の情報処理装置。
【請求項１０】
前記決済処理は、前記申込者の口座から、（ｉ）前記場所提供者の口座及び（ｉｉ）前記イベントの開催者又は前記サービスの提供者の口座とは異なる口座に、金銭又は電子バリューを送金する手順を含む、
請求項１から請求項９までの何れか一項に記載の情報処理装置。
【請求項１１】
コンピュータを、請求項１から請求項１０までの何れか一項に記載の情報処理装置として機能させるためのプログラム。
【請求項１２】
イベントへの参加又はサービスの利用の申し込みに関する申込情報を取得する申込情報取得段階と、
前記申込情報取得段階において前記申込情報が取得されたことに応じて、決済処理又は与信枠を確保するための処理を実行する決済処理段階と、
前記決済処理段階において前記決済処理又は前記与信枠を確保するための処理が実行されたことに応じて、前記イベントへの参加又は前記サービスの利用を申し込んだ申込者の通信端末に、前記イベントに参加する権利又は前記サービスを利用する権利を有することを示す権利情報を送信する権利情報送信段階と、
（ｉ）前記申込者の側の理由若しくは都合により、前記イベントが開催されなかったこと若しくは前記サービスが提供されなかったこと、又は、（ｉｉ）前記イベントの開催者若しくは前記サービスの提供者と、前記申込者との両方が、特定の時刻若しくは期間に、前記イベントの開催場所若しくは前記サービスの提供場所に存在したことを示す確認情報を取得する確認情報取得段階と、
前記確認情報取得段階において前記確認情報が取得されたことに応じて、（ｉ）前記イベントの開催場所若しくは前記サービスの提供場所を提供する場所提供者の口座及び（ｉｉ）前記イベントの開催者若しくは前記サービスの提供者の口座の少なくとも一方に、金銭又は電子バリューを入金する入金処理段階と、
を有する、情報処理方法。
【請求項１３】
イベントへの参加又はサービスの利用の申し込みに関する申込情報を取得する申込情報取得段階と、
前記申込情報取得段階において前記申込情報が取得されたことに応じて、決済処理又は与信枠を確保するための処理を実行する決済処理段階と、
前記決済処理段階において前記決済処理又は前記与信枠を確保するための処理が実行されたことに応じて、前記イベントへの参加又は前記サービスの利用を申し込んだ申込者の通信端末に、前記イベントに参加する権利又は前記サービスを利用する権利を有することを示す権利情報を送信する権利情報送信段階と、
前記決済処理段階において前記決済処理又は前記与信枠を確保するための処理が実行された後、予め定められた時刻又は期間が経過したことに応じて、（ｉ）前記イベントの開催場所又は前記サービスの提供場所を提供する場所提供者の口座及び（ｉｉ）前記イベントの開催者又は前記サービスの提供者の口座の少なくとも一方に、金銭又は電子バリューを入金する入金処理段階と、
を有する、情報処理方法。
【発明の詳細な説明】
【技術分野】
【０００１】
本発明は、情報処理装置、プログラム、及び、情報処理方法に関する。
【背景技術】
【０００２】
電子チケット又は電子クーポンを配信するシステム（特許文献１及び２を参照）、及び、同一又は類似の目的又は属性を有するユーザ同士をマッチングするマッチングシステム（特許文献３及び４を参照）が知られている。また、電子商取引における取引の安全性を向上させるための決済システムが知られている（特許文献５及び６を参照）。
［先行技術文献］
［特許文献］
［特許文献１］  特開２００２−１９７２２１号公報
［特許文献２］  特表２００４−５１４９９０号公報
［特許文献３］  特開２００４−０６２４９０号公報
［特許文献４］  特開２００６−１７２２２３号公報
［特許文献５］  特開２００１−１６７１６３号公報
［特許文献６］  特開２００２−０７４２１９号公報
【発明の概要】
【発明が解決しようとする課題】
【０００３】
イベント又はサービスに関する電子チケット又は電子クーポンを配信したり、ユーザ同士をマッチングしたりする場合、イベントの開催又はサービスの提供を確認することが困難な場合が多く、取引の安全を確保することが難しい。
【課題を解決するための手段】
【０００４】
本発明の第１の態様においては、情報処理装置が提供される。上記の情報処理装置は、例えば、イベントへの参加又はサービスの利用の申し込みに関する申込情報を取得する申込情報取得部を備える。上記の情報処理装置は、例えば、申込情報取得部が申込情報を取得したことに応じて、決済処理又は与信枠を確保するための処理を実行する決済処理部を備える。上記の情報処理装置は、例えば、決済処理部が決済処理又は与信枠を確保するための処理を実行したことに応じて、イベントへの参加又はサービスの利用を申し込んだ申込者の通信端末に、イベントに参加する権利又はサービスを利用する権利を有することを示す権利情報を送信する権利情報送信部を備える。上記の情報処理装置は、例えば、（ｉ）申込者の側の理由若しくは都合により、イベントが開催されなかったこと若しくはサービスが提供されなかったこと、又は、（ｉｉ）イベントの開催者若しくはサービスの提供者と、申込者との両方が、特定の時刻又期間に、イベントの開催場所若しくはサービスの提供場所に存在したことを示す確認情報を取得する確認情報取得部を備える。上記の情報処理装置は、例えば、確認情報取得部が確認情報を取得したことに応じて、（ｉ）イベントの開催場所又はサービスの提供場所を提供する場所提供者の口座及び（ｉｉ）イベントの開催者若しくはサービスの提供者の口座の少なくとも一方に、金銭又は電子バリューを入金する入金処理部を備える。
【０００５】
上記の情報処理装置において、確認情報は、（ｉ）申込者が、イベントへの参加又はサービスの利用をキャンセルしたことを示す情報、（ｉｉ）イベントの開催者若しくはサービスの提供者、及び、イベントの参加者若しくはサービスの利用者以外の第三者が、申込者の側の理由若しくは都合により、イベントが開催されなかったこと若しくはサービスが提供されなかったことを確認したことを示す情報、（ｉｉｉ）イベントの開催者若しくはサービスの提供者、及び、イベントの参加者若しくはサービスの利用者以外の第三者が、イベントが開催されたこと若しくはサービスが提供されたことを確認したことを示す情報、又は、（ｉｖ）イベントの開催者又はサービスの提供者、及び、イベントの参加者若しくはサービスの利用者の両方が、イベントが開催されたこと若しくはサービスが提供されたことを確認したことを示す情報であってよい。
【０００６】
上記の情報処理装置において、入金処理部は、確認情報取得部が確認情報を取得した後、予め定められた時刻又は期間が経過したことに応じて、（ｉ）イベントの開催場所又はサービスの提供場所を提供する場所提供者の口座及び（ｉｉ）イベントの開催者若しくはサービスの提供者の口座の少なくとも一方に、金銭又は電子バリューを入金してもよい。
【０００７】
本発明の第２の態様においては、情報処理装置が提供される。上記の情報処理装置は、例えば、イベントへの参加又はサービスの利用の申し込みに関する申込情報を取得する申込情報取得部を備える。上記の情報処理装置は、例えば、申込情報取得部が申込情報を取得したことに応じて、決済処理又は与信枠を確保するための処理を実行する決済処理部を備える。上記の情報処理装置は、例えば、決済処理部が決済処理又は与信枠を確保するための処理を実行したことに応じて、イベントへの参加又はサービスの利用を申し込んだ申込者の通信端末に、イベントに参加する権利又はサービスを利用する権利を有することを示す権利情報を送信する権利情報送信部を備える。上記の情報処理装置は、例えば、決済処理部が決済処理又は与信枠を確保するための処理を実行した後、予め定められた時刻又は期間が経過したことに応じて、（ｉ）イベントの開催場所又はサービスの提供場所を提供する場所提供者の口座及び（ｉｉ）イベントの開催者若しくはサービスの提供者の口座の少なくとも一方に、金銭又は電子バリューを入金する入金処理部を備える。
【０００８】
上記の第１の態様及び第２の態様に係る情報処理装置は、（ｉ）権利情報と、（ｉｉ−１）イベントの開催者又はサービスの提供者、及び、（ｉｉ−２）イベントの開催場所又はサービスの提供場所の少なくとも一方を識別するための第２識別情報とを対応付けて格納する権利情報格納部を備えてよい。上記の第１の態様及び第２の態様に係る情報処理装置は、ユーザの通信端末から、権利情報の生成を要求する第１要求情報を取得する第１要求取得部を備えてよい。上記の第１の態様及び第２の態様に係る情報処理装置は、ユーザが権利情報を生成する権限を有するか否かを判定する権限判定部を備えてよい。上記の第１の態様及び第２の態様に係る情報処理装置は、権限判定部が、ユーザは権利情報を生成する権限を有すると判定した場合に、権利情報を生成する権利情報生成部を備えてよい。上記の第１の態様及び第２の態様に係る情報処理装置は、イベントの開催又はサービスの提供を告知するための告知情報を配信する配信部を備えてよい。
【０００９】
上記の第１の態様及び第２の態様に係る情報処理装置において、権利情報は、（ｉ）告知情報を識別するための第１識別情報、（ｉｉ）第１識別情報と対応付けられて、任意の記憶装置に格納されている情報、及び、（ｉｉｉ）第１識別情報又は告知情報の少なくとも一部を、暗号化又は符号化して得られた情報の少なくとも一つを含んでよい。上記の第１の態様及び第２の態様に係る情報処理装置は、（ｉ）告知情報の生成又は編集を要求する第２要求情報を、権利情報とともに取得したことに応じて、告知情報の生成又は編集を許可する告知情報生成部を備えてよい。上記の第１の態様及び第２の態様に係る情報処理装置において、決済処理は、申込者の口座から、（ｉ）場所提供者の口座及び（ｉｉ）イベントの開催者若しくはサービスの提供者の口座とは異なる口座に、金銭又は電子バリューを送金する手順を含んでよい。
【００１０】
本発明の第３の態様においては、プログラムが提供される。上記のプログラムを格納する非一時的コンピュータ可読媒体が提供されてもよい。上記のプログラムは、コンピュータを、上記の第１の態様及び第２の態様に係る情報処理装置として機能させるためのプログラムであってよい。上記のプログラムは、コンピュータに、上記の第１の態様及び第２の態様に係る情報処理装置における情報処理方法を実行させるためのプログラムであってよい。
【００１１】
本発明の第４の態様においては、情報処理方法が提供される。上記の情報処理方法は、例えば、イベントへの参加又はサービスの利用の申し込みに関する申込情報を取得する申込情報取得段階を有する。上記の情報処理方法は、例えば、申込情報取得段階において申込情報が取得されたことに応じて、決済処理又は与信枠を確保するための処理を実行する決済処理段階を有する。上記の情報処理方法は、例えば、決済処理段階において決済処理又は与信枠を確保するための処理が実行されたことに応じて、イベントへの参加又はサービスの利用を申し込んだ申込者の通信端末に、イベントに参加する権利又はサービスを利用する権利を有することを示す権利情報を送信する権利情報送信段階を有する。上記の情報処理方法は、例えば、（ｉ）申込者の側の理由若しくは都合により、イベントが開催されなかったこと若しくはサービスが提供されなかったこと、又は、（ｉｉ）イベントの開催者若しくはサービスの提供者と、申込者との両方が、特定の時刻又期間に、イベントの開催場所若しくはサービスの提供場所に存在したことを示す確認情報を取得する確認情報取得段階を有する。上記の情報処理方法は、例えば、確認情報取得段階において確認情報が取得されたことに応じて、（ｉ）イベントの開催場所又はサービスの提供場所を提供する場所提供者の口座及び（ｉｉ）イベントの開催者若しくはサービスの提供者の口座の少なくとも一方に、金銭又は電子バリューを入金する入金処理段階を有する。
【００１２】
本発明の第５の態様においては、情報処理方法が提供される。上記の情報処理方法は、例えば、イベントへの参加又はサービスの利用の申し込みに関する申込情報を取得する申込情報取得段階を有する。上記の情報処理方法は、例えば、申込情報取得段階において申込情報が取得されたことに応じて、決済処理又は与信枠を確保するための処理を実行する決済処理段階を有する。上記の情報処理方法は、例えば、決済処理段階において決済処理又は与信枠を確保するための処理が実行されたことに応じて、イベントへの参加又はサービスの利用を申し込んだ申込者の通信端末に、イベントに参加する権利又はサービスを利用する権利を有することを示す権利情報を送信する権利情報送信段階を有する。上記の情報処理方法は、例えば、決済処理段階において決済処理又は与信枠を確保するための処理が実行された後、予め定められた時刻又は期間が経過したことに応じて、（ｉ）イベントの開催場所又はサービスの提供場所を提供する場所提供者の口座及び（ｉｉ）イベントの開催者若しくはサービスの提供者の口座の少なくとも一方に、金銭又は電子バリューを入金する入金処理段階を有する。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】取引管理システム１００のシステム構成の一例を概略的に示す。
【図２】取引管理システム１００における情報処理の一例を概略的に示す。
【図３】告知情報を生成するための処理の一例を概略的に示す。
【図４】告知情報を生成するための処理の一例を概略的に示す。
【図５】確認情報を取得するための処理の一例を概略的に示す。
【図６】確認情報を取得するための処理の一例を概略的に示す。
【図７】確認情報を取得するための処理の一例を概略的に示す。
【図８】確認情報を取得するための処理の一例を概略的に示す。
【図９】通信端末２０の内部構成の一例を概略的に示す。
【図１０】データテーブル１０００の一例を概略的に示す。
【図１１】通信端末４０及び通信端末６０の内部構成の一例を概略的に示す。
【図１２】管理サーバ１１０の内部構成の一例を概略的に示す。
【図１３】取引管理システム１００における情報処理の一例を概略的に示す。
【図１４】告知情報の生成処理における画面遷移の一例を概略的に示す。
【図１５】申込処理における画面遷移の一例を概略的に示す。
【図１６】確認処理における画面遷移の一例を概略的に示す。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１６】
［取引管理システム１００の概要］
図１は、取引管理システム１００のシステム構成の一例を概略的に示す。本実施形態において、取引管理システム１００は、イベントの開催者又はサービスの提供者（開催者１０４と称する場合がある。）と、イベントへの参加又はサービスの利用を申し込む申込者１０６との間における取引を管理する。上記の取引は、イベントに参加する権利又はサービスを利用する権利に関する取引であってよい。上記のサービスは、サービスの提供者及びサービスの利用者（又はそれらの代理人）が現実に会った後で、提供されるサービスであってよい。
【００１７】
本実施形態において、取引管理システム１００は、管理サーバ１１０を備える。取引管理システム１００は、管理サーバ１１０と、通信端末２０、通信端末４０及び通信端末６０の少なくとも１つとを備えてもよい。例えば、取引管理システム１００は、管理サーバ１１０と、通信端末２０及び通信端末４０の少なくとも一方とを備える。取引管理システム１００は、管理サーバ１１０と、通信端末２０とを備えてもよい。
【００１８】
図１の実施形態において、通信端末２０、通信端末４０又は通信端末６０のそれぞれは、ユーザの通信端末の一例であってよい。取引管理システム１００及び管理サーバ１１０のそれぞれは、情報処理装置の一例であってよい。申込者１０６は、イベントの参加者又はサービスの利用者の一例であってもよい。申込者１０６は、配信希望者、参加希望者又は参加者の一例であってもよい。なお、他の実施形態において、管理サーバ１１０の機能のうち少なくとも一部の機能が、通信端末２０、通信端末４０及び通信端末６０の少なくとも１つにより実現されてもよい。この場合、通信端末２０、通信端末４０及び通信端末６０の少なくとも１つは、情報処理装置の一例であってよい。
【００１９】
一実施形態において、管理サーバ１１０は、イベントが開催されたこと又はサービスが提供されたことを確認した後、取引を完了させる。これにより、取引の安全性が向上する。例えば、管理サーバ１１０は、開催者１０４及び申込者１０６の両方が、特定の時刻又期間に、イベントの開催場所又はサービスの提供場所（提供エリア１２と称する場合がある。）に存在したことを示す情報（確認情報と称する場合がある。）を取得することで、イベントが開催されたこと又はサービスが提供されたことを確認する。
【００２０】
他の実施形態において、管理サーバ１１０は、申込者１０６の側の理由又は都合により、イベントが開催されなかったこと又はサービスが提供されなかったことを示す情報（確認情報と称する場合がある。）を取得することで、申込者１０６の側の理由又は都合により、イベントが開催されなかったこと又はサービスが提供されなかったことを確認する。さらに他の実施形態において、管理サーバ１１０は、開催者１０４の側の理由又は都合により、イベントが開催されなかったこと又はサービスが提供されなかったことを示す情報を取得することで、開催者１０４の側の理由又は都合により、イベントが開催されなかったこと又はサービスが提供されなかったことを確認する。
【００２１】
イベントが開催されたこと又はサービスが提供されたことを確認する手法として、開催者１０４及び申込者１０６の少なくとも一方からの申告に基づいて、イベントが開催されたこと又はサービスが提供されたことを確認することも考えられる。しかしながら、上記の方法によれば、開催者１０４及び申込者１０６の何れか一方からの申告が虚偽であった場合、取引の安全性を担保することが難しい。これに対して、本実施形態において、管理サーバ１１０は、開催者１０４及び申込者１０６の両方が、特定の時刻又期間に、提供エリア１２に存在したことを確認する。そのため、本実施形態によれば、開催者１０４及び申込者１０６の少なくとも一方からの申告に基づいて、イベントが開催されたこと又はサービスが提供されたことを確認する手法と比較しても、取引の安全性が向上する。
【００２２】
一実施形態において、イベントが開催されたこと又はサービスが提供されたことを確認するための確認情報は、開催者１０４及び申込者１０６以外の第三者が、イベントが開催されたこと又はサービスが提供されたことを確認したことを示す情報を含んでよい。上記の第三者は、イベントの開催場所又はサービスの提供場所の提供者（場所提供者１０２と称する場合がある。）であってもよい。他の実施形態において、イベントが開催されたこと又はサービスが提供されたことを確認するための確認情報は、開催者１０４及び申込者１０６の両方が、イベントが開催されたこと又はサービスが提供されたことを確認したことを示す情報を含んでよい。さらに他の実施形態において、イベントが開催されたこと又はサービスが提供されたことを確認するための確認情報は、特定の時刻又は期間における開催者１０４及び申込者１０６の位置を示す情報を含んでよい。
【００２３】
一実施形態において、イベントが開催されなかったこと又はサービスが提供されなかったことを確認するための確認情報は、申込者１０６が、イベントへの参加又はサービスの利用をキャンセルしたことを示す情報を含んでよい。他の実施形態において、イベントが開催されなかったこと又はサービスが提供されなかったことを確認するための確認情報は、開催者１０４及び申込者１０６以外の第三者が、申込者１０６の側の理由若しくは都合により、イベントが開催されなかったこと又はサービスが提供されなかったことを確認したことを示す情報を含んでよい。
【００２４】
一実施形態において、イベントが開催されなかったこと又はサービスが提供されなかったことを確認するための確認情報は、開催者１０４が、イベントの開催又はサービスの提供をキャンセルしたことを示す情報を含んでよい。他の実施形態において、イベントが開催されなかったこと又はサービスが提供されなかったことを確認するための確認情報は、開催者１０４及び申込者１０６以外の第三者が、開催者１０４の側の理由若しくは都合により、イベントが開催されなかったこと又はサービスが提供されなかったことを確認したことを示す情報を含んでよい。
【００２５】
場所提供者１０２及び開催者１０４は、異なってもよく、少なくとも一部が同一であってもよい。一実施形態において、場所提供者１０２及び開催者１０４は、別人、別法人又は別団体であってよい。他の実施形態において、イベントの開催者と、イベントの開催場所の提供者とが同一であってよい。例えば、主体Ａがイベントを開催し、且つ、当該イベントの開催場所を提供する。また、主体Ａとは異なる主体Ｂが、上記のイベントにおいてサービスを提供する。さらに他の実施形態において、イベントの開催場所の提供者と、サービスの提供者とが同一であってよい。例えば、主体Ａがイベントを開催する。また、主体Ｂが、上記のイベントの開催場所を提供し、且つ、当該イベントにおいてサービスを提供する。
【００２６】
一実施形態において、管理サーバ１１０は、通信ネットワーク１０を介して、通信端末４０及び通信端末６０との間で情報を送受して、開催者１０４及び申込者１０６の間の取引を管理する。他の実施形態において、管理サーバ１１０は、通信端末２０、通信端末４０及び通信端末６０との間で情報を送受して、開催者１０４及び申込者１０６の間の取引を管理する。
【００２７】
通信ネットワーク１０は、有線通信の伝送路であってもよく、無線通信の伝送路であってもよく、無線通信の伝送路及び有線通信の伝送路の組み合わせであってもよい。通信ネットワーク１０は、無線パケット通信網、インターネット、Ｐ２Ｐネットワーク、専用回線、ＶＰＮ、電力線通信回線などを含んでもよい。通信ネットワーク１０は、（ｉ）携帯電話回線網などの移動体通信網を含んでもよく、（ｉｉ）無線ＭＡＮ（例えば、ＷｉＭＡＸ（登録商標）である。）、無線ＬＡＮ（例えば、ＷｉＦｉ（登録商標）である。）、Ｂｌｕｅｔｏｏｔｈ（登録商標）、Ｚｉｇｂｅｅ（登録商標）、ＮＦＣ（Ｎｅａｒ  Ｆｉｅｌｄ  Ｃｏｍｍｕｎｉｃａｔｉｏｎ）などの無線通信網を含んでもよい。
【００２８】
本実施形態において、通信端末２０は、場所提供者１０２が使用する情報処理装置であってよい。通信端末４０は、開催者１０４が使用する情報処理装置であってよい。通信端末６０は、申込者１０６が使用する情報処理装置であってよい。通信端末２０、通信端末４０及び通信端末６０のそれぞれは、通信ネットワーク１０を介して、管理サーバ１１０又はその他の情報処理装置と情報を送受することができる機器であればよく、その詳細については特に限定されない。
【００２９】
通信端末２０、通信端末４０又は通信端末６０としては、パーソナルコンピュータ、携帯端末などを例示することができる。携帯端末としては、携帯電話、スマートフォン、ＰＤＡ、タブレット、ノートブック・コンピュータ又はラップトップ・コンピュータ、ウエアラブル・コンピュータなどを例示することができる。通信端末２０、通信端末４０及び通信端末６０の少なくとも１つは、複数の端末から構成されていてもよい。例えば、通信端末２０は、（ｉ）ＰＯＳシステム、（ｉｉ）ＰＯＳ端末、（ｉｉｉ）パーソナルコンピュータ、及び、（ｉｖ）発注、販売促進などに利用される少なくとも１つの携帯端末からなる群から選択される少なくとも２つの端末を含む。
【００３０】
場所提供者１０２の通信端末２０に情報を送信するとは、通信端末２０に割り当てられたアドレス、アカウントなどを宛先として当該情報を送信することだけでなく、場所提供者１０２に割り当てられたアドレス、アカウントなどを宛先として当該情報を送信することをも含んでよい。同様に、開催者１０４の通信端末４０に情報を送信するとは、通信端末４０又は開催者１０４に割り当てられたアドレス、アカウントなどを宛先として当該情報を送信することを意味してよい。また、申込者１０６の通信端末６０に情報を送信するとは、通信端末６０又は申込者１０６に割り当てられたアドレス、アカウントなどを宛先として当該情報を送信することを意味してよい。
【００３１】
例えば、装置Ａが申込者１０６の通信端末６０に情報を送信するとは、（ｉ）装置Ａが通信端末６０に情報を送信する場合だけでなく、（ｉｉ）装置Ａが、申込者１０６に対してメッセージ伝達機能を有するサービスを提供する装置Ｂに、当該サービスにおいて申込者１０６に割り当てられたアドレス、アカウントなどを宛先として情報を送信する場合をも含む。メッセージ伝達機能を有するサービスとしては、メールサービス（いわゆるＷｅｂメールサービスを含む。）、データ転送サービス、データ保管サービス、ソーシャル・ネットワーキング・サービス（ＳＮＳと称される場合がある。）などを例示することができる。
【００３２】
同様に、場所提供者１０２の通信端末２０からの情報を取得するとは、通信端末２０又は場所提供者１０２に割り当てられたアドレス、アカウントなどを送信元とする情報を取得することを意味してよい。開催者１０４の通信端末４０からの情報を取得するとは、通信端末４０又は開催者１０４に割り当てられたアドレス、アカウントなどを送信元とする情報を取得することを意味してよい。また、申込者１０６の通信端末６０からの情報を取得するとは、通信端末６０又は申込者１０６に割り当てられたアドレス、アカウントなどを送信元とする情報を取得することを意味してよい。
【００３３】
［取引管理システム１００の各部の具体的な構成］
取引管理システム１００の各部は、ハードウェアにより実現されてもよく、ソフトウエアにより実現されてもよく、ハードウェア及びソフトウエアにより実現されてもよい。取引管理システム１００の各部は、その少なくとも一部が、単一のサーバによって実現されてもよく、複数のサーバによって実現されてもよい。取引管理システム１００の各部は、その少なくとも一部が、仮想サーバ上又はクラウドシステム上で実現されてもよい。取引管理システム１００の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどを例示することができる。取引管理システム１００の各部は、ブロックチェーンなどの分散型台帳技術又は分散型ネットワークを利用して、情報を格納してもよい。
【００３４】
取引管理システム１００を構成する構成要素の少なくとも一部がソフトウエアにより実現される場合、当該ソフトウエアにより実現される構成要素は、一般的な構成の情報処理装置において、当該構成要素に関する動作を規定したソフトウエア又はプログラムを起動することにより実現されてよい。上記の一般的な構成の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、ポインティングデバイス、タッチパネル、カメラ、音声入力装置、ジェスチャ入力装置、各種センサ、ＧＰＳ受信機、ビーコン受信機などの入力装置と、（ｉｉｉ）表示装置、音声出力装置、振動装置、ビーコン発信装置などの出力装置と、（ｉｖ）メモリ、ＨＤＤ、ＳＳＤなどの記憶装置（外部記憶装置を含む。）とを備えてよい。
【００３５】
上記の一般的な構成の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。上記のソフトウエア又はプログラムは、コンピュータを、取引管理システム１００又はその一部として機能させるためのプログラムであってよい。上記のソフトウエア又はプログラムは、コンピュータに、取引管理システム１００又はその一部における情報処理を実行させるためのプログラムであってよい。
【００３６】
［取引管理システム１００における情報処理の概要］
図２から図８を用いて、取引管理システム１００における情報処理の概要を説明する。図２は、取引管理システム１００における情報処理の一例を概略的に示す。なお、取引管理システム１００における情報処理は、本実施形態に限定されない。他の実施形態において、図２に示された手順のうち、一部の手順が省略されたり、一部の手順の順番が入れ替わったりしてもよい。さらに他の実施形態において、図２に示されていない手順が追加されてもよい。
【００３７】
本実施形態によれば、まず、ステップ２０２（ステップをＳと省略する場合がある。）において、例えば、管理サーバ１１０が、取引管理システム１００の特定の機能を利用できるユーザを登録する。一実施形態において、管理サーバ１１０は、イベントの開催又はサービスの提供を告知するための告知情報を生成若しくは編集又は配信する権限を有するユーザを登録する。他の実施形態において、管理サーバ１１０は、イベントに参加する権利又はサービスを利用する権利を有することを示す権利情報を生成する権限を有するユーザを登録する。権利情報を生成する権限を有するユーザは、告知情報を生成若しくは編集又は配信する権限を有してもよい。
【００３８】
権利情報は、（ｉ）告知情報を識別するための情報（識別コードと称する場合がある。）、（ｉｉ）識別コードと対応付けられて、任意の記憶装置に格納されている情報、及び、（ｉｉｉ）識別コード又は告知情報の少なくとも一部を、暗号化又は符号化して得られた情報の少なくとも一つを含んでよい。権利情報は、（ｉ）開催者１０４及び提供エリア１２の少なくとも一方を識別するための情報、及び、（ｉｉ）当該権利情報の有効期間又は有効期限を示す情報の少なくとも一方と対応付けられて、任意の記憶装置に格納されてよい。識別コードは、任意の文字数の文字列であってよい。識別コードは、少なくとも予め定められた期間において、ユニークな文字列であってよい。識別コードは、ランダムに生成された文字列であってもよい。識別コードは、第１識別情報の一例であってよい。開催者１０４及び提供エリア１２の少なくとも一方を識別するための情報は、第２識別情報の一例であってよい。
【００３９】
次に、Ｓ２１２において、例えば、管理サーバ１１０が、告知情報を生成する。告知情報を生成する処理の具体例は、図３又は図４を用いて後述する。その後、Ｓ２１４において、例えば、管理サーバ１１０が、告知情報を配信する。一実施形態において、管理サーバ１１０は、１又は複数の告知情報が掲載されたＷｅｂページを生成し、当該Ｗｅｂページを公衆に閲覧可能な状態にすることで、告知情報を配信する。他の実施形態において、管理サーバ１１０は、告知情報を予め登録されたアドレス若しくはアカウント又は通信端末に送信することで、告知情報を配信する。
【００４０】
Ｓ２２２において、申込者１０６は、配信された告知情報を取得する。申込者１０６は、告知情報に示されたイベントへの参加又は告知情報に示されたサービスの利用を希望する場合、通信端末６０を利用して、告知情報に示されたイベントへの参加又は告知情報に示されたサービスの利用の申し込みに関する情報（申込情報と称する場合がある。）を、例えば、管理サーバ１１０に送信する。これにより、管理サーバ１１０は、通信端末６０から、イベント又はサービスに関する申し込みを受け付ける。
【００４１】
Ｓ２２４において、例えば、管理サーバ１１０が、１又は複数の申込者１０６の中から、イベントの参加者又はサービスの利用者を選定する。管理サーバ１１０は、イベントの参加条件又はサービスの利用条件を満足する１又は複数の申込者１０６の中から、イベントの参加者又はサービスの利用者を選定してもよい。管理サーバ１１０は、（ｉ）開催者１０４の指示、（ｉｉ）抽選結果、（ｉｉｉ）申し込みの順序及び（ｉｖ）申込者１０６の支払金額の少なくとも１つに基づいて、イベントの参加者又はサービスの利用者を選定してよい。イベントの参加者は、イベントに参加する権利を有する。サービスの利用者は、サービスを利用する権利を有する。
【００４２】
Ｓ２２６において、例えば、管理サーバ１１０が、Ｓ２２４において選定された申込者１０６から、少なくともイベントの参加料又はサービスの利用料を一時的に預かるための処理を実行する。管理サーバ１１０は、イベントの参加料又はサービスの利用料の他に、取引管理システム１００の利用料を徴収してもよい。一実施形態において、管理サーバ１１０は、決済処理を実行する。決済処理は、申込者１０６の口座から、場所提供者１０２の口座及び開催者１０４の口座とは異なる口座に、金銭又は電子バリューを送金する手順を含んでよい。
【００４３】
電子バリューとしては、電子マネー、仮想通貨などを例示することができる。仮想通貨としては、（ｉ）ブロックチェーン技術又はこれに類似する技術を利用したもの（例えば、ビットコインである。暗号通貨と称される場合もある。）、（ｉｉ）オンラインゲーム・サービス、ソーシャル・ネットワーク・サービス、ポイントサービス、マイレージサービスなどの特定のサービスの内部で通貨のように利用できるものなどを例示することができる。
【００４４】
他の実施形態において、管理サーバ１１０は、仮売上処理を実行する。仮売上処理を実行することにより、予め定められた期間、申込者１０６の与信枠を確保することができる。例えば、上記の期間内に実売上処理を実行することにより、決済処理が実行される。上記の期間内に実売上処理が実行されなかった場合、上記の与信枠が開放される。なお、仮売上処理が取り消された場合にも、上記の与信枠が開放される。仮売上処理は、与信枠を確保するための処理の一例であってよい。
【００４５】
本実施形態においては、Ｓ２２４において、管理サーバ１１０がイベントの参加者又はサービスの利用者を選定した後、Ｓ２２６において、管理サーバ１１０が決済処理又は仮売上処理を実行する場合について説明した。しかしながら、管理サーバ１１０における情報処理は本実施形態に限定されない。他の実施形態において、管理サーバ１１０は、Ｓ２２２において申込情報を受け付けるときに、決済処理又は仮売上処理を実行してもよい。そして、決済処理又は仮売上処理を実行した後、イベントの参加者又はサービスの利用者を選定してもよい。
【００４６】
Ｓ２２４において選定された申込者１０６から、少なくともイベントの参加料又はサービスの利用料を一時的に預かるための処理が実行された後、管理サーバ１１０は、Ｓ２２４において選定された申込者１０６の通信端末６０に、イベントに参加する権利又はサービスを利用する権利を有することを示す権利情報を送信する。権利情報を取得した申込者１０６は、提供エリア１２に赴き、権利情報を提示することで、イベントに参加したり、サービスを利用したりすることができる。
【００４７】
なお、管理サーバ１１０は、権利情報とともに、提供エリア１２の詳細な位置を示す情報を、通信端末６０に送信してもよい。この場合、配信された告知情報には、提供エリア１２の詳細な位置を示す情報の代わりに、提供エリア１２を含み、提供エリア１２よりも大きな地理的範囲を有するエリアの位置を示す情報が記載されていてもよい。例えば、告知情報には、提供エリア１２が存在する行政区画（例えば、市区町村である。）に関する情報、提供エリア１２の最寄駅に関する情報などが記載されており、管理サーバ１１０は、権利情報とともに、提供エリア１２の住所を示す情報を送信する。提供エリア１２の詳細な位置を示す情報は、第１位置情報の一例であってよい。提供エリア１２を含み、提供エリア１２よりも大きな地理的範囲を有するエリアの位置を示す情報は、第２位置情報の一例であってよい。
【００４８】
次に、Ｓ２３２において、例えば、管理サーバ１１０が、イベントが開催されたこと又はサービスが提供されたことを確認する。管理サーバ１１０は、開催者１０４及び申込者１０６の両方が、特定の時刻又期間に、場所提供者１０２に存在したことを確認することで、イベントが開催されたこと又はサービスが提供されたことを確認してよい。
【００４９】
一実施形態において、管理サーバ１１０は、イベントの開催又はサービスの提供が確認されたことを示す情報を取得して、イベントが開催されたこと又はサービスが提供されたことを確認する。他の実施形態において、管理サーバ１１０は、（ｉ）イベントの開催又はサービスの提供を確認するための情報を取得し、（ｉｉ）当該情報を解析して、イベントが開催されたこと又はサービスが提供されたことを確認する。イベントが開催されたこと又はサービスが提供されたことを確認する処理の具体例は、図５、図６、図７又は図８を用いて後述する。
【００５０】
イベントが開催されたこと又はサービスが提供されたことが確認された場合（Ｓ２３２でＹｅｓの場合）、Ｓ２３４において、決済が完了していないとき（例えば、Ｓ２２６において仮売上処理が実行されていた場合である。）には、例えば、管理サーバ１１０が決済処理を実行する。管理サーバ１１０は、実売上処理を実行することにより、決済処理を実行してもよい。
【００５１】
その後、Ｓ２３６において、例えば、管理サーバ１１０が、支払処理を実行し、一連の処理を終了する。支払処理は、場所提供者１０２及び開催者１０４の少なくとも一方の口座に、金銭又は電子バリューを入金する手順を含んでよい。支払処理は、場所提供者１０２及び開催者１０４の少なくとも一方の口座に、申込者１０６から一時的に預かっていたイベントの参加料又はサービスの利用料に相当する額の金銭又は電子バリューを入金する手順を含んでよい。
【００５２】
一実施形態によれば、支払処理は、場所提供者１０２及び開催者１０４の一方の口座に、予め定められた割合又は金額に相当する額の金銭又は電子バリューを入金する手順と、場所提供者１０２及び開催者１０４の他方の口座に、残りの金額に相当する額の金銭又は電子バリューを入金する手順とを含む。上記の割合又は金額は、例えば、場所提供者１０２及び開催者１０４の少なくとも一方により設定される。
【００５３】
他の実施形態によれば、支払処理は、開催者１０４が、場所提供者１０２から、特典、金銭又は電子バリューの提供を受ける権利を有することを示す情報を、通信端末２０及び通信端末４０の少なくとも一方に送信する手順と、場所提供者１０２の口座に、イベントの参加料又はサービスの利用料に相当する額の金銭又は電子バリューを入金する手順とを含む。上記の特典の内容、又は、金銭若しくは電子バリューの額は、例えば、場所提供者１０２及び開催者１０４の少なくとも一方により設定される。
【００５４】
さらに他の実施形態によれば、支払処理は、場所提供者１０２が、開催者１０４から、特典、金銭又は電子バリューの提供を受ける権利を有することを示す情報を、通信端末２０及び通信端末４０の少なくとも一方に送信する手順と、開催者１０４の口座に、イベントの参加料又はサービスの利用料に相当する額の金銭又は電子バリューを入金する手順とを含む。上記の特典の内容、又は、金銭若しくは電子バリューの額は、例えば、場所提供者１０２及び開催者１０４の少なくとも一方により設定される。
【００５５】
一方、イベントが開催されたこと又はサービスが提供されたことが確認されていない場合（Ｓ２３２でＮｏの場合）、Ｓ２４２において、例えば、管理サーバ１１０が、予め定められた時刻又は期間が経過したか否かを判定する。予め定められた時刻としては、イベント又はサービスの開始予定時刻、イベント又はサービスの終了予定時刻、及び、これらの時刻から予め定められた期間が経過した時刻などを例示することができる。
【００５６】
予め定められた時刻又は期間が経過したと判断された場合（Ｓ２４２でＹｅｓの場合）、Ｓ２４４において、例えば、管理サーバ１１０が、取引をキャンセルするための処理を実行した後、一連の処理を終了する。なお、管理サーバ１１０が、Ｓ２４２の予め定められた時刻又は期間が経過するまでの間に、申込者１０６の側の理由又は都合により、イベントが開催されなかったこと又はサービスが提供されなかったことを示す情報を取得していた場合、管理サーバ１１０は、取引をキャンセルするための処理を実行せずに、Ｓ２３６の処理を実行してもよい。一方、予め定められた時刻又は期間が経過したと判断されなかった場合（Ｓ２４２でＮｏの場合）、管理サーバ１１０は、例えば、Ｓ２３２の処理を繰り返す。
【００５７】
Ｓ２４４における取引をキャンセルするための処理の一実施形態において、例えば、Ｓ２２６において決済処理が実行されていた場合、管理サーバ１１０は、決済を取り消して、申込者１０６から一時的に預かっていたイベントの参加料又はサービスの利用料を申込者１０６に返金するための処理を実行する。Ｓ２４４における取引をキャンセルするための処理の他の実施形態において、例えば、Ｓ２２６において仮売上処理が実行されていた場合、管理サーバ１１０は、仮売上を取り消して、申込者１０６の与信枠を開放するための処理を実行する。この場合、管理サーバ１１０が仮売上を取り消すための処理を実行しなくてもよい。
【００５８】
図３は、告知情報を生成するための処理の一例を概略的に示す。本実施形態によれば、まず、Ｓ３１２において、例えば、場所提供者１０２又は開催者１０４の指示に応じて、通信端末２０又は通信端末４０が、告知情報の識別コードの発行を要求する情報を、管理サーバ１１０に送信する。
【００５９】
次に、Ｓ３１４において、管理サーバ１１０が、識別コードの発行を要求する情報を受信する。管理サーバ１１０は、識別コードの発行を要求する情報を送信した通信端末のユーザが、識別コードを発行する権限を有するか否かを判定する。Ｓ３１６において、上記のユーザが識別コードを発行する権限を有すると判定された場合、管理サーバ１１０は、識別コードを発行する。識別コードが発行されると、告知情報を生成したり、編集したりすることができるようになる。
【００６０】
なお、Ｓ３１２において、上記の通信端末２０又は通信端末４０が、告知情報の識別コードの発行を要求する情報に対応付けて、開催者１０４及び提供エリア１２の少なくとも一方を識別するための情報を送信していた場合、Ｓ３１６において、管理サーバ１１０は、告知情報の識別コードと、開催者１０４及び提供エリア１２の少なくとも一方を識別するための情報とを対応付けて格納してよい。
【００６１】
管理サーバ１１０は、発行された識別コードを、識別コードの発行を要求する情報を送信した通信端末に送信してよい。管理サーバ１１０は、発行された識別コード又はその一部を暗号化又は符号化して、権利情報を生成してもよい。管理サーバ１１０は、発行された識別コードと対応づけられた権利情報を生成してもよい。
【００６２】
また、Ｓ３２２において、例えば、場所提供者１０２又は開催者１０４の指示に応じて、通信端末２０又は通信端末４０が、告知情報の生成又は編集を要求する情報を、管理サーバ１１０に送信する。通信端末２０又は通信端末４０は、告知情報の識別コードと、当該告知情報の生成又は編集を要求する情報とを対応付けて、管理サーバ１１０に送信してよい。これにより、管理サーバ１１０は、告知情報の生成又は編集を要求する情報を、当該告知情報の識別コードとともに取得することができる。
【００６３】
Ｓ３２４において、管理サーバ１１０が、通信端末２０又は通信端末４０から、告知情報の生成又は編集を要求する情報と、当該告知情報の識別コードとを取得する。管理サーバ１１０は、取得された識別コードの認証処理を実行する。取得された認証コードが認証されると、管理サーバ１１０は、当該識別コードに対応する告知情報の生成又は編集を許可する。
【００６４】
Ｓ３２６において、管理サーバ１１０が、告知情報を生成又は編集するための入力画面を生成する。管理サーバ１１０は、生成された入力画面を、告知情報の生成又は編集を要求する情報を送信した通信端末２０又は通信端末４０に送信する。Ｓ３２８において、上記の通信端末２０又は通信端末４０のユーザが、通信端末２０又は通信端末４０に告知の内容を入力する。Ｓ３３０において、管理サーバ１１０は、上記の通信端末２０又は通信端末４０から、告知の内容を示す情報を取得する。管理サーバ１１０は、取得された情報に基づいて、公衆又は特定のユーザが告知情報を閲覧するための画面を生成する。
【００６５】
図４は、告知情報を生成するための処理の一例を概略的に示す。本実施形態によれば、まず、Ｓ４１２において、例えば、場所提供者１０２又は開催者１０４の指示に応じて、通信端末２０又は通信端末４０が、告知情報の識別コードを発行する。上記の通信端末２０又は通信端末４０は、発行された識別コードと、当該識別コードの登録を要求する情報を、管理サーバ１１０に送信する。
【００６６】
次に、Ｓ４１４において、管理サーバ１１０が、上記の通信端末２０又は通信端末４０から、告知情報の識別コードと、当該識別コードの登録を要求する情報とを受信する。管理サーバ１１０は、識別コードの登録を要求する情報を送信した通信端末のユーザが、識別コードを発行する権限を有するか否かを判定する。Ｓ４１６において、上記のユーザが識別コードを発行する権限を有すると判定された場合、管理サーバ１１０は、識別コードを登録する。識別コードが登録されると、告知情報を生成したり、編集したりすることができるようになる。
【００６７】
なお、Ｓ４１２において、上記の通信端末２０又は通信端末４０が、告知情報の識別コードの登録を要求する情報に対応付けて、開催者１０４及び提供エリア１２の少なくとも一方を識別するための情報を送信していた場合、Ｓ４１６において、管理サーバ１１０は、告知情報の識別コードと、開催者１０４及び提供エリア１２の少なくとも一方を識別するための情報とを対応付けて格納してよい。その後の処理は、図３における実施形態と同様であってよい。
【００６８】
図３及び第４の実施形態において、通信端末２０又は通信端末４０は、ユーザの通信端末の一例であってよい。場所提供者１０２又は開催者１０４はユーザの一例であってよい。告知情報の識別コードも、権利情報の一例であってよい。告知情報の識別コードの発行を要求する情報は、第１要求情報の一例であってよい。告知情報の生成又は編集を要求する情報は、第２要求情報の一例であってよい。
【００６９】
図５は、確認情報を取得するための処理の一例を概略的に示す。本実施形態によれば、まず、場所提供者１０２が、イベントが開催されたこと又はサービスが提供されたことを確認する。
【００７０】
例えば、場所提供者１０２又はその関係者（例えば、場所提供者１０２の従業員である。）が、提供エリア１２又はその近傍（例えば、提供エリア１２を包含する建物である。）に到着した申込者１０６に対して、権利情報の提示を要求する。場所提供者１０２又はその関係者は、申込者１０６が提示した権利情報を確認する。場所提供者１０２又はその関係者は、（ｉ）目視により権利情報を確認してもよく、（ｉｉ）提供エリア１２に配された通信端末を利用して、有線通信又は近距離無線通信を介して権利情報を取得し、取得された権利情報を確認してもよい。場所提供者１０２又はその関係者は、権利情報の内容及び正当性の少なくとも一方を確認してよい。
【００７１】
その後、場所提供者１０２又はその関係者は、権利情報に対応付けられた提供エリア１２（例えば、上記の建物の内部の特定の位置である。）に申込者１０６を案内して、開催者１０４に申込者１０６を紹介する。これにより、場所提供者１０２は、イベントが開催されたこと又はサービスが提供されたことを確認することができる。
【００７２】
次に、場所提供者１０２は、イベントが開催されたこと又はサービスが提供されたことを示す情報を、通信端末２０に入力する。通信端末２０は、イベントが開催されたこと又はサービスが提供されたことを示す情報を、管理サーバ１１０に送信する。これにより、管理サーバ１１０は、確認情報を取得することができる。
【００７３】
図６は、確認情報を取得するための処理の一例を概略的に示す。本実施形態によれば、まず、提供エリア１２又はその近傍に配された通信端末２０が、通信端末４０及び通信端末６０のそれぞれから、有線通信又は近距離無線通信を介して、イベントの開催又はサービスの提供を確認するための情報を取得する。イベントの開催又はサービスの提供を確認するための情報としては、通信端末４０及び通信端末６０のそれぞれを識別する識別情報（例えば、ＭＡＣアドレスである。）、開催者１０４及び申込者１０６のそれぞれを識別する識別情報などを例示することができる。
【００７４】
次に、一実施形態において、通信端末２０は、（ｉ）通信端末４０から受信したイベントの開催又はサービスの提供を確認するための情報と、（ｉｉ）通信端末６０から受信したイベントの開催又はサービスの提供を確認するための情報とを対応付けて、管理サーバ１１０に送信する。これにより、管理サーバ１１０は、確認情報を取得することができる。通信端末２０は、さらに、（ｉｉｉ）通信端末４０から、イベントの開催又はサービスの提供を確認するための情報を受信した時刻を示す情報と、（ｉｖ）通信端末６０から、イベントの開催又はサービスの提供を確認するための情報を受信した時刻を示す情報とを、管理サーバ１１０に送信してもよい。
【００７５】
他の実施形態において、通信端末２０は、ｉ）通信端末４０から受信したイベントの開催又はサービスの提供を確認するための情報と、（ｉｉ）通信端末６０から受信したイベントの開催又はサービスの提供を確認するための情報とを、同一の時刻又は時間帯に取得した場合に、イベントの開催又はサービスの提供が確認されたことを示す情報を生成する。通信端末２０は、イベントの開催又はサービスの提供が確認されたことを示す情報を管理サーバ１１０に送信してよい。これにより、管理サーバ１１０は、確認情報を取得することができる。
【００７６】
なお、通信端末４０及び通信端末６０の少なくとも一方は、イベントの開催又はサービスの提供を確認するための情報を暗号化し、暗号化された情報を通信端末２０に送信してもよい。この場合、通信端末４０及び通信端末６０の少なくとも一方は、暗号化された情報を復号するための復号鍵を、管理サーバ１１０に送信してもよい。
【００７７】
図７は、確認情報を取得するための処理の一例を概略的に示す。本実施形態によれば、通信端末４０及び通信端末６０のそれぞれが、まず、提供エリア１２又はその近傍において、イベントの開催又はサービスの提供を確認するための情報を取得する。次に、通信端末４０及び通信端末６０のそれぞれが、イベントの開催又はサービスの提供を確認するための情報を管理サーバ１１０に送信する。これにより、管理サーバ１１０は、確認情報を取得することができる。
【００７８】
一実施形態において、通信端末４０及び通信端末６０のそれぞれは、通信端末２０から、有線通信又は近距離無線通信を介して、イベントの開催又はサービスの提供を確認するための情報を取得する。イベントの開催又はサービスの提供を確認するための情報は、通信端末２０を識別する識別情報（例えば、ＭＡＣアドレスである。）であってよい。
【００７９】
他の実施形態において、通信端末４０及び通信端末６０のそれぞれは、提供エリア１２又はその近傍に配されたビーコン発信器が発信したビーコン信号を取得する。さらに他の実施形態において、通信端末４０及び通信端末６０のそれぞれは、提供エリア１２又はその近傍において、ＧＰＳ衛星又は通信基地局から、通信端末４０及び通信端末６０のそれぞれの位置を示す情報を取得する。
【００８０】
なお、通信端末２０は、イベントの開催又はサービスの提供を確認するための情報を暗号化し、暗号化された情報を通信端末４０及び通信端末６０に送信してもよい。この場合、通信端末２０は、暗号化された情報を復号するための復号鍵を、管理サーバ１１０に送信してもよい。
【００８１】
図８は、確認情報を取得するための処理の一例を概略的に示す。本実施形態において、通信端末４０及び通信端末６０の一方（例えば、通信端末４０である。）が、他方から、有線通信又は近距離無線通信を介して、イベントの開催又はサービスの提供を確認するための情報を取得する。イベントの開催又はサービスの提供を確認するための情報は、上記他方の通信端末を識別する識別情報（例えば、ＭＡＣアドレスである。）であってよい。次に、通信端末４０及び通信端末６０の一方は、例えば、自端末を識別する識別情報と、上記他方の通信端末から取得した情報とを対応づけて、管理サーバ１１０に送信する。これにより、管理サーバ１１０は、確認情報を取得することができる。
【００８２】
なお、上記他方の通信端末は、イベントの開催又はサービスの提供を確認するための情報を暗号化し、暗号化された情報を、もう一方の通信端末に送信してもよい。この場合、上記他方の通信端末は、暗号化された情報を復号するための復号鍵を、管理サーバ１１０に送信してもよい。
【００８３】
［取引管理システム１００の各部の概要］
図９から図１６を用いて、取引管理システム１００の各部の概要について説明する。取引管理システム１００を具体的に想定することが容易になるように、本実施形態においては、開催者１０４が、レストランＸ（つまり、場所提供者１０２である。）において飲食をするときに、相席して一緒に飲食を楽しむ相手（つまり、申込者１０６である。）を募集する場合を例として、取引管理システム１００の各部の概要について説明する。
【００８４】
本実施形態においては、レストランＸが、レストランＸの顧客（つまり、開催者１０４である。）に対して、相席相手を募集するイベントを開催することを提案する。また、レストランＸは、相席相手が見つかりイベントが開催された場合、レストランＸが開催者１０４に対して特典を提供することを提案する。
【００８５】
本実施形態において、レストランＸは告知情報の識別コードを発行する権限を有する。上記の顧客がイベントの開催に同意すると、レストランＸの従業員は、レストランＸに配された通信端末２０を利用して取引管理システム１００にアクセスし、当該顧客のテーブル番号に対応付けられた識別コードを取得する。レストランＸの従業員は、上記の識別コードを、例えば口頭で、顧客に伝える。レストランＸの顧客は、取引管理システム１００にアクセスして、レストランＸの従業員から伝えられた識別コードを用いて、相席相手を募集していることを示す告知情報を公開する。
【００８６】
本実施形態において、レストランＸの従業員が、（ｉ）イベントが開催されたこと若しくはサービスが提供されたこと、又は、（ｉｉ）申込者１０６の側の理由若しくは都合により、イベントが開催されなかったこと若しくはサービスが提供されなかったことを確認する。レストランＸの従業員は、レストランＸに配された通信端末２０を利用して、取引管理システム１００に確認情報を送信する。（ｉ）イベントが開催されたこと若しくはサービスが提供されたことが確認された場合、又は、（ｉｉ）申込者１０６の側の理由若しくは都合により、イベントが開催されなかったこと若しくはサービスが提供されなかったことが確認された場合、申込者１０６が支払ったイベントの参加費用は、例えば、取引管理システム１００の利用料が差し引かれた後、レストランＸの口座に振り込まれる。
【００８７】
この場合、提供エリア１２は、例えば、開催者１０４に割り当てられたテーブルである。場所提供者１０２は、レストランＸ又はレストランＸの関係者（例えば、所有者、従業員などである。）であってよい。通信端末２０は、レストランＸのＰＯＳシステム及びその付帯設備（例えば、注文受付用のタブレット端末である。）であってよい。
【００８８】
なお、取引管理システム１００の利用形態は、本実施形態に限定されない。他の実施形態において、レストランＸで食事をしている顧客、又は、レストランＸでの食事を予定若しくは検討している潜在顧客が、相席相手を募集するイベントを開催する。この場合、例えば、顧客又は潜在顧客は、告知情報の識別コードを発行する権限を有しており、取引管理システム１００を利用して告知情報を公開する。
【００８９】
一実施形態において、（ｉ）イベントが開催されたこと若しくはサービスが提供されたこと、又は、（ｉｉ）申込者１０６の側の理由若しくは都合により、イベントが開催されなかったこと若しくはサービスが提供されなかったことが確認された場合、申込者１０６が支払ったイベントの参加費用は、取引管理システム１００の利用料が差し引かれた後、上記の顧客又は潜在顧客の口座に振り込まれる。他の実施形態において、申込者１０６がイベントの参加費用を支払うと、取引管理システム１００は、開催者１０４の通信端末４０及び申込者１０６の通信端末６０の少なくとも一方に、レストランＸで特典を受ける権利を有することを示す情報を送信する。そして、（ｉ）イベントが開催されたこと若しくはサービスが提供されたこと、又は、（ｉｉ）申込者１０６の側の理由若しくは都合により、イベントが開催されなかったこと若しくはサービスが提供されなかったことが確認された場合、申込者１０６が支払ったイベントの参加費用は、取引管理システム１００の利用料が差し引かれた後、例えば、レストランＸの口座に振り込まれる。なお、これらの実施形態において、開催者１０４の側の理由又は都合により、イベントが開催されなかったこと又はサービスが提供されなかったことが確認された場合、申込者１０６が支払ったイベントの参加費用は、申込者１０６に返金されてよい。
【００９０】
この場合、提供エリア１２は、例えば、レストランＸである。場所提供者１０２は、レストランＸ又はレストランＸの関係者（例えば、所有者、従業員などである。）であってよい。通信端末２０は、レストランＸのＰＯＳシステム及びその付帯設備（例えば、注文受付用のタブレット端末である。）であってよい。
【００９１】
また、取引管理システム１００における情報処理は本実施形態に限定されない。例えば、（ｉ）イベントが開催されたこと若しくはサービスが提供されたこと、又は、（ｉｉ）開催者１０４若しくは申込者１０６の側の理由若しくは都合により、イベントが開催されなかったこと若しくはサービスが提供されなかったことの確認方法は、本実施形態に限定されない。他の実施形態において、図６〜図８に関連して説明された方法により、（ｉ）イベントが開催されたこと若しくはサービスが提供されたこと、又は、（ｉｉ）開催者１０４若しくは申込者１０６の側の理由若しくは都合により、イベントが開催されなかったこと若しくはサービスが提供されなかったことが確認されてよい。
【００９２】
図９は、通信端末２０の内部構成の一例を概略的に示す。本実施形態において、通信端末２０は、通信部９１０と、入出力部９２０と、格納部９３０と、制御部９４０とを備える。本実施形態において、制御部９４０は、要求処理部９５２と、確認部９５４と、画面生成部９５６と、料金算出部９５８とを有する。格納部９３０は、権利情報格納部の一例であってよい。確認部９５４は、確認情報取得部の一例であってよい。
【００９３】
本実施形態において、通信部９１０は、他の情報処理装置、記憶装置又は記憶媒体との間で情報を送受する。本実施形態において、入出力部９２０は、場所提供者１０２からの入力を受け付ける。入出力部９２０は、場所提供者１０２に情報を出力する。入出力部９２０は、各種の入力装置を有してよい。入出力部９２０は、各種の出力装置を有してよい。本実施形態において、格納部９３０は、各種の情報を格納する。格納部９３０は、例えば、権利情報と、開催者１０４及び提供エリア１２の少なくとも一方を識別するための識別情報とを対応付けて格納する。本実施形態において、制御部９４０は、通信端末２０の各部及び通信端末２０における情報処理を制御する。
【００９４】
本実施形態において、要求処理部９５２は、入出力部９２０が受け付けた、場所提供者１０２からの要求を処理する。本実施形態において、確認部９５４は、開催者１０４及び申込者１０６の両方が、特定の時刻又期間に、提供エリア１２に存在したことを確認するための処理を実行する。例えば、確認部９５４は、図５〜７に示された手順を実行する。本実施形態において、画面生成部９５６は、入出力部９２０の表示装置に表示させるための画面を生成する。
【００９５】
本実施形態において、料金算出部９５８は、開催者１０４及び申込者１０６の少なくとも一方に対して請求する料金を算出する。上記の料金は、（ｉ）場所提供者１０２が、開催者１０４及び申込者１０６の少なくとも一方に提供エリア１２を提供したことに対する対価、並びに、（ｉｉ）提供エリア１２において、開催者１０４及び申込者１０６の少なくとも一方に提供されたサービス及び物品の少なくとも一方に対する対価の少なくとも一方を含んでよい。
【００９６】
図１０は、データテーブル１０００の一例を概略的に示す。本実施形態において、データテーブル１０００は、例えば、料金算出部９５８による料金算出処理に用いられる。データテーブル１０００は、例えば、格納部９３０に格納される。
【００９７】
本実施形態において、データテーブル１０００は、店舗ＩＤ１０１０と、テーブルＩＤ１０２０と、グループＩＤ１０３０と、注文履歴１０４０と、合計金額１０５０と、イベント情報１０６０と、請求金額１０７０とに関する情報を含む。本実施形態において、イベント情報１０６０は、イベントＩＤ１０６２と、特典１０６４と、ステータス１０６６とに関する情報を含む。
【００９８】
本実施形態において、店舗ＩＤ１０１０は、レストランＸを識別するための情報であってよい。本実施形態において、テーブルＩＤ１０２０は、レストランＸに配された１又は複数のテーブルのそれぞれを識別するための情報であってよい。テーブルＩＤ１０２０は、レストランＸ内の特定の領域に割り当てられた識別情報であってもよい。上記の特定の領域内には、複数のテーブルが配されていてもよい。
【００９９】
本実施形態において、グループＩＤ１０３０は、レストランＸを利用している１又は複数の顧客グループのそれぞれを識別する情報であってよい。顧客グループの構成員は、１人であってもよい。グループＩＤ１０３０は、顧客グループのそれぞれに固有の識別情報であってもよく、同一のテーブル又は領域に相席している複数の顧客グループのそれぞれに割り当てられる識別情報であってもよい。なお、単一のテーブル又は領域を単一の顧客グループが使用している場合であっても、上記の識別情報が割り当てられてもよい。また、同一のテーブル又は領域に相席している複数の顧客グループが、会計を合算することに同意した場合には、当該複数の顧客グループに対して、同一の識別情報が割り当てられてもよい。
【０１００】
本実施形態において、注文履歴１０４０は、レストランＸが顧客グループのそれぞれに提供したサービス又は物品の履歴を示す。本実施形態において、合計金額１０５０は、レストランＸが顧客グループのそれぞれに提供したサービス又は物品に対する対価の合計金額を示す。本実施形態において、請求金額１０７０は、レストランＸが顧客グループのそれぞれに請求する料金の金額を示す。
【０１０１】
本実施形態において、イベント情報１０６０は、開催者１０４が開催したイベントに関する情報を示す。本実施形態において、イベントＩＤ１０６２は、イベントの権利情報であってよい。イベントの権利情報は、イベントの識別コードであってよい。本実施形態において、特典１０６４は、レストランＸが開催者１０４に対して提供する特典の内容を示す。本実施形態において、ステータス１０６６は、イベントの状態を示す。
【０１０２】
図１１は、通信端末４０及び通信端末６０の内部構成の一例を概略的に示す。本実施形態において、通信端末４０及び通信端末６０のそれぞれは、通信部９１０と、入出力部９２０と、格納部９３０と、制御部１１４０とを備える。各通信端末の制御部１１４０は、当該通信端末の各部及び当該通信端末における情報処理を制御する。
【０１０３】
図１２は、管理サーバ１１０の内部構成の一例を概略的に示す。本実施形態において、管理サーバ１１０は、通信部９１０と、入出力部９２０と、格納部９３０と、制御部１２４０とを備える。本実施形態において、制御部１２４０は、ユーザ登録部１２５２と、認証部１２５４と、識別コード発行部１２５６と、告知情報登録部１２５８と、画面生成部１２６０と、仲介部１２６２と、決済部１２６４と、支払部１２６６とを有する。
【０１０４】
ユーザ登録部１２５２は登録部の一例であってよい。認証部１２５４は、第１要求取得部及び権限判定部の一例であってよい。識別コード発行部１２５６は、権利情報生成部の一例であってよい。告知情報登録部１２５８は、告知情報生成部の一例であってよい。画面生成部１２６０は、告知情報生成部の一例であってよい。仲介部１２６２は、配信部、申込情報取得部、選定部及び権利情報送信部の一例であってよい。決済部１２６４は、決済処理部、返金処理部及び確認情報取得部の一例であってよい。支払部１２６６は、入金処理部の一例であってよい。
【０１０５】
本実施形態において、格納部９３０は、権利情報と、開催者１０４及び提供エリア１２の少なくとも一方を識別するための識別情報とを対応付けて格納してよい。本実施形態において、制御部１２４０は、管理サーバ１１０の各部及び管理サーバ１１０における情報処理を制御する。
【０１０６】
本実施形態において、ユーザ登録部１２５２は、取引管理システム１００のユーザに関する情報を登録する。例えば、ユーザ登録部１２５２は、各ユーザのアカウントを生成して、当該アカウントを登録する。他の例において、ユーザ登録部１２５２は、特定のユーザ（第１ユーザと称する場合がある。）に関する告知情報の配信を希望する他のユーザ（第２ユーザと称する場合がある。第２ユーザは、第１ユーザのフォロワーと称される場合がある。）を登録してもよい。例えば、ユーザ登録部１２５２は、第１ユーザのアカウントと、第２ユーザのアカウント又はアドレスとを対応付けて格納する。第２ユーザは、配信希望者の一例であってよい。
【０１０７】
本実施形態において、ユーザ登録部１２５２は、取引管理システム１００の特定の機能を利用できるユーザを登録する。例えば、ユーザ登録部１２５２は、各ユーザのアカウントと、各ユーザが有する権限又は各ユーザが利用できる機能を示す情報とを対応付けて格納する。一実施形態において、管理サーバ１１０は、イベントの開催又はサービスの提供を告知するための告知情報を生成又は配信する権限を有するユーザを登録する。他の実施形態において、管理サーバ１１０は、イベントに参加する権利又はサービスを利用する権利を有することを示す権利情報を生成する権限を有するユーザを登録する。
【０１０８】
本実施形態において、認証部１２５４は、通信端末２０、通信端末４０及び通信端末６０の少なくとも１つから、各種の要求を取得する。認証部１２５４は、上記の要求を送信してきた通信端末のユーザを認証してよい。例えば、認証部１２５４は、各種の要求を送信してきた通信端末のユーザが、当該要求を実行する権限を有するか否かを判定する。認証部１２５４は、登録されたユーザを識別するユーザＩＤと、当該ユーザが有する権限の種類とを対応付けて格納するデータベースを参照して、各種の要求を送信してきた通信端末のユーザが、当該要求を実行する権限を有するか否かを判定してよい。上記のデータベースは、例えば、格納部９３０に配される。
【０１０９】
一実施形態において、認証部１２５４は、通信端末２０又は通信端末４０から、権利情報の生成を要求する情報を取得する。認証部１２５４は、権利情報の生成を要求する情報を送信した通信端末のユーザが、権利情報を生成する権限を有するか否かを判定する。他の実施形態において、認証部１２５４は、通信端末２０又は通信端末４０から、告知情報の生成又は編集を要求する情報を取得する。認証部１２５４は、告知情報の生成又は編集を要求する情報を送信した通信端末のユーザが、告知情報を生成又は編集する権限を有するか否かを判定する。
【０１１０】
本実施形態において、識別コード発行部１２５６は、告知情報の識別コードを発行する。告知情報の識別コードは、当該告知情報の権利情報の一例であってよい。認証部１２５４が上記のユーザは権利情報を生成する権限を有すると判定した場合に、告知情報の識別コードを生成する。
【０１１１】
本実施形態において、告知情報登録部１２５８は、告知情報の内容を登録する。例えば、告知情報登録部１２５８は、認証部１２５４が、告知情報の生成又は編集を要求する情報を、権利情報とともに取得したことに応じて、告知情報の生成又は編集を許可する。例えば、告知情報登録部１２５８は、告知情報の内容を示す情報を取得する。また、告知情報登録部１２５８は、告知情報の内容を示す情報を、当該告知情報の識別コードと対応づけて、格納部９３０に格納する。
【０１１２】
本実施形態において、画面生成部１２６０は、各種の画面を生成する。例えば、画面生成部１２６０は、開催者１０４などが告知情報を生成又は編集するための入力画面を生成する。画面生成部１２６０は、申込者１０６などが１又は複数の告知情報を閲覧するための閲覧画面を生成してもよい。画面生成部１２６０は、各告知情報に関する権利情報が含まれない閲覧画面を生成してよい。画面生成部１２６０は、申込者１０６に権利情報を伝達するための画面を生成してもよい。各告知情報に関する権利情報は、各告知情報の識別コードであってもよい。画面生成部１２６０は、（ｉ）イベントが開催されたこと又はサービスが提供されたこと、（ｉｉ）開催者１０４の側の理由又は都合により、イベントが開催されなかったこと又はサービスが提供されなかったたこと、（ｉｉｉ）申込者１０６の側の理由又は都合により、イベントが開催されなかったこと又はサービスが提供されなかったことなどを、場所提供者１０２などが確認するための画面を生成してもよい。
【０１１３】
本実施形態において、仲介部１２６２は、開催者１０４と、申込者１０６との取引を仲介する。例えば、仲介部１２６２は、イベントの開催又はサービスの提供を告知するための告知情報を配信する。告知情報の配信方法は特に限定されるものではない。告知情報は、予め登録されたアドレス若しくはアカウント又は通信端末に送信されてもよく、Ｗｅｂ上に公開されてもよい。これにより、申込者１０６は、通信端末６０を介して告知情報を取得することができる。
【０１１４】
本実施形態において、仲介部１２６２は、通信端末６０から、イベントへの参加又はサービスの利用の申し込みに関する申込情報を取得する。さらに、仲介部１２６２は、イベントへの参加又はサービスの利用を申し込んだ申込者１０６の通信端末６０に、イベントに参加する権利又はサービスを利用する権利を有することを示す権利情報を送信する。
【０１１５】
仲介部１２６２は、決済部１２６４が決済処理又は与信枠を確保するための処理を実行したことに応じて、通信端末６０に権利情報を送信してもよい。告知情報に関する権利情報は、告知情報の識別コードであってよい。決済処理又は与信枠を確保するための処理は、少なくともイベントの参加料又はサービスの利用料を一時的に預かるための処理の一例であってよい。
【０１１６】
本実施形態において、決済部１２６４は、例えば、仲介部１２６２が申込情報を取得したことに応じて、決済処理又は与信枠を確保するための処理を実行する。決済部１２６４は、開催者１０４及び申込者１０６の両方が、特定の時刻又期間に、提供エリア１２に存在したことを示す確認情報を取得してよい。決済部１２６４は、確認情報を取得した場合において、仲介部１２６２が申込情報を取得したことに応じて与信枠を確保するための処理を実行していたときには、実売上処理を実行して決済を完了させてよい。
【０１１７】
一方、決済部１２６４は、予め定められた時刻又は期間が経過しても確認情報を取得することができない場合において、仲介部１２６２が申込情報を取得したことに応じて決済処理を実行していたときには、決済処理を取り消して、返金処理を実行してよい。また、決済部１２６４は、予め定められた時刻又は期間が経過しても確認情報を取得することができない場合において、仲介部１２６２が申込情報を取得したことに応じて与信枠を確保するための処理を実行していたときには、仮売上処理を取り消してもよい。
【０１１８】
本実施形態において、支払部１２６６は、場所提供者１０２の口座及び開催者１０４の口座の少なくとも一方に、金銭又は電子バリューを入金する。一実施形態において、支払部１２６６は、決済部１２６４が確認情報を取得したことに応じて、場所提供者１０２の口座及び開催者１０４の口座の少なくとも一方に、金銭又は電子バリューを入金してよい。支払部１２６６は、決済部１２６４が確認情報を取得した後、予め定められた時刻又は期間が経過したことに応じて、場所提供者１０２の口座及び開催者１０４の口座の少なくとも一方に、金銭又は電子バリューを入金してもよい。予め定められた時刻としては、イベント又はサービスの開始予定時刻、イベント又はサービスの終了予定時刻、及び、これらの時刻から予め定められた期間が経過した時刻などを例示することができる。
【０１１９】
他の実施形態において、支払部１２６６は、決済部１２６４が決済処理又は与信枠を確保するための処理を実行した後、予め定められた時刻又は期間が経過したことに応じて、場所提供者１０２の口座及び開催者１０４の口座の少なくとも一方に、金銭又は電子バリューを入金してもよい。予め定められた時刻としては、イベント又はサービスの開始予定時刻、イベント又はサービスの終了予定時刻、及び、これらの時刻から予め定められた期間が経過した時刻などを例示することができる。
【０１２０】
図１３は、取引管理システム１００における情報処理の一例を概略的に示す。本実施形態においては、場所提供者１０２が識別コードを発行する権限を有している場合について説明する。本実施形態によれば、Ｓ１３０２において、場所提供者１０２が、通信端末２０を用いて、告知情報の識別コードの発行を要求する情報と、提供エリア１２の識別情報及び開催者１０４の識別情報の少なくとも一方とを対応付けて、管理サーバ１１０に送信する。Ｓ１３０４において、管理サーバ１１０は、通信端末２０のユーザである場所提供者１０２を認証して、識別コードを発行する。管理サーバ１１０は、上記の要求に対する応答として、発行された識別コードを通信端末２０に送信する。管理サーバ１１０は、発行された識別コードと、提供エリア１２の識別情報及び開催者１０４の識別情報の少なくとも一方とを対応づけて、管理サーバ１１０の格納部９３０に格納する。
【０１２１】
次に、Ｓ１３０６において、場所提供者１０２が、Ｓ１３０４において取得した識別コードを、開催者１０４に伝える。なお、識別コードは、通信ネットワーク１０を介して、通信端末２０から通信端末４０に送信されてもよい。Ｓ１３０８において、開催者１０４が、通信端末４０を用いて、告知情報の識別コードと、当該告知情報の生成又は編集を要求する情報とを対応付けて、管理サーバ１１０に送信する。なお、開催者１０４は、通信端末２０を用いて、告知情報の識別コードと、当該告知情報の生成又は編集を要求する情報とを対応付けて、管理サーバ１１０に送信してもよい。
【０１２２】
Ｓ１３１０において、認証部１２５４が識別コードを認証して、告知情報の生成又は編集を許可する。画面生成部１２６０が、告知情報の内容を登録するための入力画面を生成して、通信端末４０に送信する。開催者１０４は、通信端末４０を用いて、告知情報の内容を示す情報を入力画面に入力する。告知情報登録部１２５８は、通信端末４０から、入力画面に入力された情報を取得する。告知情報登録部１２５８は、告知情報の識別コードと、当該告知情報の内容を示す情報とを対応付けて、管理サーバ１１０の格納部９３０に格納する。これにより、告知情報が登録される。また、画面生成部１２６０は、申込者１０６が登録された告知情報を閲覧するための閲覧画面を生成する。
【０１２３】
次に、Ｓ１３３２及びＳ１３３４において、申込者１０６が、通信端末６０を用いて管理サーバ１１０にアクセスして、閲覧画面を閲覧する。Ｓ１３３６において、申込者１０６は、通信端末６０を用いて、特定の告知情報に示されたイベントへの参加又は当該告知情報に示されたサービスの利用の申し込みに関する申込情報を、管理サーバ１１０に送信する。Ｓ１３３８において、決済部１２６４が、決済処理又は申込者１０６の与信枠を確保するための処理を実行する。Ｓ１３４０において、仲介部１２６２が、上記の特定の告知情報の識別コードと、提供エリア１２の詳細な位置を示す情報とを、通信端末６０に送信する。
【０１２４】
次に、申込者１０６は、提供エリア１２に移動する。Ｓ１３５２において、申込者１０６が提供エリア１２又はその近傍に到着すると、申込者１０６は、場所提供者１０２又はその関係者に識別コードを提示する。場所提供者１０２又はその関係者は、申込者１０６が提示した識別コードを確認して、申込者１０６を提供エリア１２に案内して、申込者１０６を開催者１０４に紹介する。これにより、場所提供者１０２又はその関係者は、イベントが開催されたこと又はサービスが提供されたことを確認する。そして、Ｓ１３５４において、場所提供者１０２又はその関係者は、通信端末２０を用いて、イベントが開催されたこと又はサービスが提供されたことを示す確認情報を管理サーバ１１０に送信する。
【０１２５】
一方、Ｓ１３５２において、イベント若しくはサービスの開始予定時刻を過ぎても申込者１０６が提供エリア１２若しくはその近傍に現れない場合、又は、イベント若しくはサービスの開始予定時刻から予め定められた期間が経過しても申込者１０６が提供エリア１２若しくはその近傍に現れない場合、場所提供者１０２又はその関係者は、申込者１０６の側の都合により、イベントが開催されなかった又はサービスが提供されなかったと判断する。そして、Ｓ１３５４において、場所提供者１０２又はその関係者は、通信端末２０を用いて、イベントが開催されなかったこと又はサービスが提供されなかったことを示す確認情報を管理サーバ１１０に送信する。
【０１２６】
Ｓ１３５２及びＳ１３５４における確認処理が完了すると、Ｓ１３５６において、各種の費用を精算するための処理が実行される。Ｓ１３５２において（ｉ）イベントが開催されたこと若しくはサービスが提供されたこと、又は、（ｉｉ）申込者１０６の側の都合によりイベントが開催されなかったこと又はサービスが提供されなかったことが確認された場合において、決済がまだ完了していないとき（つまり、Ｓ１３３８において、決済処理ではなく、与信枠を確保するための処理が実行されたとき）には、Ｓ１３５６において、決済部１２６４が、実売上処理を実行して決済を完了させる。その後、申込者１０６が支払ったイベントの参加費用から、取引管理システム１００の利用料を差し引いた額を、例えば、レストランＸの口座に振り込むための処理が実行される。これにより、一連の処理が終了する。
【０１２７】
一方、開催者１０４の側の都合によりイベントが開催されなかったこと又はサービスが提供されなかったことが確認された場合において、決済がまだ完了していないとき（つまり、Ｓ１３３８において、決済処理ではなく、与信枠を確保するための処理が実行されたとき）には、Ｓ１３５６において、決済部１２６４が、仮売上を取り消すための処理を実行する。また、この場合において、決済が既に完了していたときには、決済処理を取り消して返金するための処理を実行する。これにより、一連の処理が終了する。
【０１２８】
図１４は、告知情報の生成処理における画面遷移の一例を概略的に示す。図１４は、図１３に関連して説明されたＳ１３０８からＳ１３１０における画面遷移の一例であってよい。本実施形態において、画面１４０２は、場所提供者１０２から提示された識別コードを入力するための入力フィールド１４２２と、当該識別コードに対応する告知情報の内容を入力するための画面１４０４を呼び出すためのボタン１４２４とを含む。画面１４０２において、入力フィールド１４２２に識別コードが入力され、ボタン１４２４がクリックされると、画面１４０４が表示される。
【０１２９】
本実施形態において、画面１４０４は、告知情報の内容を入力するための入力フィールド１４４２を含む。画面１４０４は、各種の入力要素を含んでよい。例えば、画面１４０４は、格納部９３０などに格納された画像ファイルの中から１又は複数の画像ファイルを選択するためのボタン１４４４を含む。また、画面１４０４は、予め定められた内容を選択するためのプルダウンメニュー１４４６を含んでもよい。
【０１３０】
図１５は、申込処理における画面遷移の一例を概略的に示す。図１５は、図１３に関連して説明されたＳ１３３４からＳ１３３６における画面遷移の一例であってよい。本実施形態において、画面１５０２には、複数のイベント情報１５２０が掲載されている。本実施形態において、イベント情報１５２０は、画像１５２２と、開催者からのメッセージ１５２４と、イベントの概要１５２６とを含む。画面１５０２は、他の画面を呼び出すためのタブ１５３０を含んでもよい。画面１５０２において、特定のイベント情報１５２０がクリックされると、当該イベントの詳細を示す画面１５０４が表示される。
【０１３１】
本実施形態において、画面１５０４は、画像１５２２と、開催者からのメッセージ１５２４と、開催者のプロフィール１５４６と、イベントの詳細１５４８とを含む。画面１５０４には、当該告知情報に関する申込情報を管理サーバ１１０に送信するためのボタン１５５０が配されてもよい。
【０１３２】
図１６は、確認処理における画面遷移の一例を概略的に示す。図１６は、図１３に関連して説明されたＳ１３５２からＳ１３５４における画面遷移の一例であってよい。本実施形態において、画面１６０２は、申込者１０６から提示された識別コードを入力するための入力フィールド１６２２と、当該識別コードに対応するイベント又はサービスに関する取引を支援するための画面１６０４を呼び出すためのボタン１６２４とを含む。画面１６０２において、入力フィールド１６２２に識別コードが入力され、ボタン１６２４がクリックされると、画面１６０４が表示される。
【０１３３】
本実施形態において、画面１６０４は、告知情報の内容を表示するための表示フィールド１６４２を含む。画面１６０４は、確認情報を管理サーバ１１０に送信するためのボタン１６４４を含んでよい。画面１６０４は、イベントの開催又はサービスの提供をキャンセルするためのボタン１６４６を含んでよい。画面１６０４において、ボタン１６４６はクリックされると、開催者１０４及び申込者１０６の間の取引がキャンセルされる。具体的には、決済部１２６４が返金処理又は仮売上の取消処理を実行する。
【０１３４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。また、各構成要素は、名称が同一で、参照符号が異なる他の構成要素と同様の特徴を有してもよい。その様な変更または改良を加えた形態も本発明の技術的範囲に含まれ得ることが、特許請求の範囲の記載から明らかである。
【０１３５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【０１３６】
例えば、本願明細書には、下記の事項が開示されている。
［項目１−１」
イベントへの参加又はサービスの利用の申し込みに関する申込情報を取得する申込情報取得部と、
上記申込情報取得部が上記申込情報を取得したことに応じて、決済処理又は与信枠を確保するための処理を実行する決済処理部と、
上記決済処理部が上記決済処理又は上記与信枠を確保するための処理を実行したことに応じて、上記イベントへの参加又は上記サービスの利用を申し込んだ申込者の通信端末に、上記イベントに参加する権利又は上記サービスを利用する権利を有することを示す権利情報を送信する権利情報送信部と、
（ｉ）上記申込者の側の理由若しくは都合により、上記イベントが開催されなかったこと若しくは上記サービスが提供されなかったこと、又は、（ｉｉ）上記イベントの開催者若しくは上記サービスの提供者と、上記申込者との両方が、特定の時刻若しくは期間に、上記イベントの開催場所若しくは上記サービスの提供場所に存在したことを示す確認情報を取得する確認情報取得部と、
上記確認情報取得部が上記確認情報を取得したことに応じて、（ｉ）上記イベントの開催場所又は上記サービスの提供場所を提供する場所提供者の口座及び（ｉｉ）上記イベントの開催者又は上記サービスの提供者の口座の少なくとも一方に、金銭又は電子バリューを入金する入金処理部と、
を備える、情報処理装置。
［項目１−２」
上記確認情報は、
（ｉ）上記申込者が、上記イベントへの参加若しくは上記サービスの利用をキャンセルしたことを示す情報、
（ｉｉ）上記イベントの開催者若しくは上記サービスの提供者、及び、上記イベントの参加者若しくは上記サービスの利用者以外の第三者が、上記申込者の側の理由若しくは都合により、上記イベントが開催されなかったこと若しくは上記サービスが提供されなかったことを確認したことを示す情報、
（ｉｉｉ）上記イベントの開催者若しくは上記サービスの提供者、及び、上記イベントの参加者若しくは上記サービスの利用者以外の第三者が、上記イベントが開催されたこと若しくは上記サービスが提供されたことを確認したことを示す情報、又は、
（ｉｖ）上記イベントの開催者若しくは上記サービスの提供者、及び、上記イベントの参加者若しくは上記サービスの利用者の両方が、上記イベントが開催されたこと若しくは上記サービスが提供されたことを確認したことを示す情報である、
項目１−１に記載の情報処理装置。
［項目１−３」
上記入金処理部は、上記確認情報取得部が上記確認情報を取得した後、予め定められた時刻又は期間が経過したことに応じて、（ｉ）上記イベントの開催場所又は上記サービスの提供場所を提供する場所提供者の口座及び（ｉｉ）上記イベントの開催者又は上記サービスの提供者の口座の少なくとも一方に、金銭又は電子バリューを入金する、
項目１−１又は項目１−２に記載の情報処理装置。
［項目１−４」
イベントへの参加又はサービスの利用の申し込みに関する申込情報を取得する申込情報取得部と、
上記申込情報取得部が上記申込情報を取得したことに応じて、決済処理又は与信枠を確保するための処理を実行する決済処理部と、
上記決済処理部が上記決済処理又は上記与信枠を確保するための処理を実行したことに応じて、上記イベントへの参加又は上記サービスの利用を申し込んだ申込者の通信端末に、上記イベントに参加する権利又は上記サービスを利用する権利を有することを示す権利情報を送信する権利情報送信部と、
上記決済処理部が上記決済処理又は上記与信枠を確保するための処理を実行した後、予め定められた時刻又は期間が経過したことに応じて、（ｉ）上記イベントの開催場所又は上記サービスの提供場所を提供する場所提供者の口座及び（ｉｉ）上記イベントの開催者又は上記サービスの提供者の口座の少なくとも一方に、金銭又は電子バリューを入金する入金処理部と、
を備える、情報処理装置。
［項目１−５」
（ｉ）上記権利情報と、（ｉｉ−１）上記イベントの開催者又は上記サービスの提供者、及び、（ｉｉ−２）上記イベントの開催場所又は上記サービスの提供場所の少なくとも一方を識別するための第２識別情報とを対応付けて格納する権利情報格納部をさらに備える、
項目１−１から項目１−４までの何れか一項に記載の情報処理装置。
［項目１−６」
ユーザの通信端末から、上記権利情報の生成を要求する第１要求情報を取得する第１要求取得部と、
上記ユーザが上記権利情報を生成する権限を有するか否かを判定する権限判定部と、
上記権限判定部が、上記ユーザは上記権利情報を生成する権限を有すると判定した場合に、上記権利情報を生成する権利情報生成部と、
をさらに備える、
項目１−１から項目１−５までの何れか一項に記載の情報処理装置。
［項目１−７」
上記イベントの開催又は上記サービスの提供を告知するための告知情報を配信する配信部をさらに備える、
項目１−１から項目１−６までの何れか一項に記載の情報処理装置。
［項目１−８」
上記権利情報は、（ｉ）上記告知情報を識別するための第１識別情報、（ｉｉ）上記第１識別情報と対応付けられて、任意の記憶装置に格納されている情報、及び、（ｉｉｉ）上記第１識別情報又は上記告知情報の少なくとも一部を、暗号化又は符号化して得られた情報の少なくとも一つを含む、
項目１−７に記載の情報処理装置。
［項目１−９」
（ｉ）上記告知情報の生成又は編集を要求する第２要求情報を、上記権利情報とともに取得したことに応じて、上記告知情報の生成又は編集を許可する告知情報生成部をさらに備える、
項目１−７又は項目１−８に記載の情報処理装置。
［項目１−１０」
上記決済処理は、上記申込者の口座から、（ｉ）上記場所提供者の口座及び（ｉｉ）上記イベントの開催者又は上記サービスの提供者の口座とは異なる口座に、金銭又は電子バリューを送金する手順を含む、
項目１−１から項目１−９までの何れか一項に記載の情報処理装置。
［項目１−１１」
コンピュータを、項目１−１から項目１−１０までの何れか一項に記載の情報処理装置として機能させるためのプログラム。
［項目１−１２」
イベントへの参加又はサービスの利用の申し込みに関する申込情報を取得する申込情報取得段階と、
上記申込情報取得段階において上記申込情報が取得されたことに応じて、決済処理又は与信枠を確保するための処理を実行する決済処理段階と、
上記決済処理段階において上記決済処理又は上記与信枠を確保するための処理が実行されたことに応じて、上記イベントへの参加又は上記サービスの利用を申し込んだ申込者の通信端末に、上記イベントに参加する権利又は上記サービスを利用する権利を有することを示す権利情報を送信する権利情報送信段階と、
（ｉ）上記申込者の側の理由若しくは都合により、上記イベントが開催されなかったこと若しくは上記サービスが提供されなかったこと、又は、（ｉｉ）上記イベントの開催者若しくは上記サービスの提供者と、上記申込者との両方が、特定の時刻若しくは期間に、上記イベントの開催場所若しくは上記サービスの提供場所に存在したことを示す確認情報を取得する確認情報取得段階と、
上記確認情報取得段階において上記確認情報が取得されたことに応じて、（ｉ）上記イベントの開催場所若しくは上記サービスの提供場所を提供する場所提供者の口座及び（ｉｉ）上記イベントの開催者若しくは上記サービスの提供者の口座の少なくとも一方に、金銭又は電子バリューを入金する入金処理段階と、
を有する、情報処理方法。
［項目１−１３」
イベントへの参加又はサービスの利用の申し込みに関する申込情報を取得する申込情報取得段階と、
上記申込情報取得段階において上記申込情報が取得されたことに応じて、決済処理又は与信枠を確保するための処理を実行する決済処理段階と、
上記決済処理段階において上記決済処理又は上記与信枠を確保するための処理が実行されたことに応じて、上記イベントへの参加又は上記サービスの利用を申し込んだ申込者の通信端末に、上記イベントに参加する権利又は上記サービスを利用する権利を有することを示す権利情報を送信する権利情報送信段階と、
上記決済処理段階において上記決済処理又は上記与信枠を確保するための処理が実行された後、予め定められた時刻又は期間が経過したことに応じて、（ｉ）上記イベントの開催場所又は上記サービスの提供場所を提供する場所提供者の口座及び（ｉｉ）上記イベントの開催者又は上記サービスの提供者の口座の少なくとも一方に、金銭又は電子バリューを入金する入金処理段階と、
を有する、情報処理方法。
［項目２−１］
イベントの開催に関する告知情報の配信を希望する配信希望者を登録する登録部と、
上記配信希望者の通信端末に、上記告知情報を配信する配信部と、
上記配信部が配信した告知情報に示されたイベントへの参加を希望する参加希望者の通信端末から、当該イベントへの参加の申し込みに関する申込情報を取得する申込情報取得部と、
上記申込情報取得部が上記申込情報を取得したことに応じて、決済処理又は与信枠を確保するための処理を実行する決済処理部と、
を備える、情報処理装置。
［項目２−２］
上記参加希望者の中から、参加者を選定する選定部をさらに備える、
項目２−１に記載の情報処理装置。
［項目２−３］
上記選定部は、（ｉ）上記イベントの開催者の指示、（ｉｉ）抽選結果、（ｉｉｉ）申し込みの順序及び（ｉｖ）参加希望者の支払金額の少なくとも１つに基づいて、上記参加者を決定する、
項目２−２に記載の情報処理装置。
［項目２−４］
上記選定部が選定した上記参加者の通信端末に、上記イベントへの参加が認められたことを示す情報と、上記イベントの開催場所の詳細な位置を示す第１位置情報とを含む当選通知を送信する通知部をさらに備える、
項目２−２又は項目２−３に記載の情報処理装置。
［項目２−５］
上記配信部により配信される告知情報には、上記第１位置情報により示される位置を含む地理的範囲を示す第２位置情報が含まれる、
項目２−４に記載の情報処理装置。
［項目２−６］
上記参加者以外の上記参加希望者に対する返金処理を実行する返金処理部をさらに備える、
項目２−２から項目２−５までの何れか一項に記載の情報処理装置。
［項目２−７］
コンピュータを、項目２−１から項目２−６までの何れか一項に記載の情報処理装置として機能させるためのプログラム。
［項目２−８］
イベントの開催に関する告知情報の配信を希望する配信希望者を登録する登録段階と、
上記配信希望者の通信端末に、上記告知情報を配信する配信段階と、
上記配信段階において配信された告知情報に示されたイベントへの参加を希望する参加希望者の通信端末から、当該イベントへの参加の申し込みに関する申込情報を取得する申込情報取得段階と、
上記申込情報取得段階において上記申込情報が取得されたことに応じて、決済処理又は与信枠を確保するための処理を実行する決済処理段階と、
を有する、情報処理方法。
【符号の説明】
【０１３７】
１０  通信ネットワーク、１２  提供エリア、２０  通信端末、４０  通信端末、６０  通信端末、１００  取引管理システム、１０２  場所提供者、１０４  開催者、１０６  申込者、１１０  管理サーバ、９１０  通信部、９２０  入出力部、９３０  格納部、９４０  制御部、９５２  要求処理部、９５４  確認部、９５６  画面生成部、９５８  料金算出部、１０００  データテーブル、１０１０  店舗ＩＤ、１０２０  テーブルＩＤ、１０３０  グループＩＤ、１０４０  注文履歴、１０５０  合計金額、１０６０  イベント情報、１０６２  イベントＩＤ、１０６４  特典、１０６６  ステータス、１０７０  請求金額、１１４０  制御部、１２４０  制御部、１２５２  ユーザ登録部、１２５４  認証部、１２５６  識別コード発行部、１２５８  告知情報登録部、１２６０  画面生成部、１２６２  仲介部、１２６４  決済部、１２６６  支払部、１４０２  画面、１４０４  画面、１４２２  入力フィールド、１４２４  ボタン、１４４２  入力フィールド、１４４４  ボタン、１４４６  プルダウンメニュー、１５０２  画面、１５０４  画面、１５２０  イベント情報、１５２２  画像、１５２４  メッセージ、１５２６  概要、１５３０  タブ、１５４６  プロフィール、１５４８  詳細、１５５０  ボタン、１６０２  画面、１６０４  画面、１６２２  入力フィールド、１６２４  ボタン、１６４２  表示フィールド、１６４４  ボタン、１６４６  ボタン
【図１】
2018205848.tif 000003
【図２】
2018205848.tif 000004
【図３】
2018205848.tif 000005
【図４】
2018205848.tif 000006
【図５】
2018205848.tif 000007
【図６】
2018205848.tif 000008
【図７】
2018205848.tif 000009
【図８】
2018205848.tif 000010
【図９】
2018205848.tif 000011
【図１０】
2018205848.tif 000012
【図１１】
2018205848.tif 000013
【図１２】
2018205848.tif 000014
【図１３】
2018205848.tif 000015
【図１４】
2018205848.tif 000016
【図１５】
2018205848.tif 000017
【図１６】
2018205848.tif 000018